(57)【特許請求の範囲】
【請求項１】
電力系統などから入力した電気量に基づいて当該電力系統等の事故を判別するための設定及び整定を遠隔操作手段にて遠隔操作するために、保護継電器ラック内に入力電気量から電力系統等の事故を判別し、この判別した結果に基づき遮断指令などを出力し、外部機器情報を入力する各種のユニットと共に通信ユニットを収納し、当該通信ユニットに接続される第１の接続ケーブルを前記保護継電器ラックの正面に取付けられた保護継電器パネルまで引き出し、当該第１の接続ケーブルの端子を前記保護継電器パネルに取付けられた中継ケーブル、当該中継ケーブルに接続された第２の接続ケーブルを経由して前記遠隔操作手段に接続するようにしたディジタル形保護継電器において、
前記保護継電器パネルにケーブル収納部を設け、当該ケーブル収納部内に前記中継ケーブルを挿抜方向に高い自由度を有する形態にして収納するとともに、その中継ケーブルの一方の端子と前記第１の接続ケーブルの端子とを挿抜可能に接続するように構成し、当該中継ケーブルの端子を抜き去った後、前記第１の接続ケーブルの端子に対して可搬式操作手段の通信ケーブルを接続可能にしたことを特徴とするディジタル形保護継電器。
【請求項２】
前記中継ケーブルの片端を常時固定とし、この片端を操作者には見えない位置に配置したことを特徴とする請求項１記載のディジタル形保護継電器。
【請求項３】
前記中継ケーブルの常時固定とする片端のコネクタを、挿抜ロック手段を備えたコネクタとし、この挿抜ロック手段は、操作者が指で触れることができず、治具を使うことによって箱体の正面から容易に操作することができる構造としたことを特徴とする請求項２記載のディジタル形保護継電器。
【請求項４】
前記中継ケーブルは脱落防止機能を備えた螺旋状形態であることを特徴とする請求項１記載のディジタル形保護継電器。
【請求項５】
汎用のＬＡＮが接続されておらず、且つ、前記汎用のＬＡＮを介さないで操作手段が接続されているか否かを判別する判別手段を備えたことを特徴とする請求項１記載のディジタル形保護継電器。
【請求項６】
判別手段で判別した結果が「接続状態」であり、且つ、「接続許可有り」の場合に限り汎用のＬＡＮを介さないで前記操作手段から直接に操作されることを特徴とする請求項５記載のディジタル形保護継電器。
【発明の詳細な説明】
【０００１】
【発明の属する技術分野】
本発明は、ＬＡＮ（ローカル・エリア・ネットワーク）に接続され電力系統等の保護に用いられるディジタル形保護継電器に関する。
【０００２】
【従来の技術】
遠隔運用保守タイプのディジタル形保護継電器はヒューマンインターフェース（ＨＩ）と接続される。ＨＩでは、系統電気量表示、諸設定、整定操作、異常情報の閲覧等を行うことができる。このＨＩは可搬形であり、保護継電器を設置した変電所内で、保護継電器と直接ケーブル接続して使用している。
【０００３】
遠隔運用保守タイプのディジタル形保護継電器は、ＬＡＮ接続可能であるため、ＬＡＮケーブルを敷設し、ネットワークを構築することで、遠隔にてＨＩと同様の操作が行える利点がある。また、保護継電器がＬＡＮと接続されるため、独自の電力用イントラネットを構築し、異常処置や保守対応の効率化と迅速化が図られている。
【０００４】
このように、遠隔運用保守タイプのディジタル形保護継電器は可搬形ＨＩとの直接接続と遠隔操作のための遠隔ＬＡＮ接続を行う。試験等の操作性の観点から保護継電装置盤のそばで可搬形ＨＩと接続するため、直接接続できる必要がある。ハブ等があっても、ハブは変電所内の設置場所が特定の場所に限られる為、可搬形ＨＩを使用する度に、ハブの設置場所まで行ってケーブルを接続する手間が生じる。また、ハブに予めＬＡＮケーブルを接続して、各保護継電装置まで引き回す方法も考えられるが、そのようにすると配線敷設が増える。また、操作者が保護継電器にて可搬形ＨＩの操作を終了した後、直接接続を遠隔ＬＡＮ接続に戻す必要がある。
【０００５】
この戻し忘れを防止するため、ＬＡＮ接続状態が保護継電装置盤上にて視覚的に判りやすくなっている必要がある。そこで、保護継電器の正面に通信ユニットのＬＡＮケーブルを引き出している。一方、汎用のＬＡＮと接続したケーブル等の接続口を保護継電器正面に設けている。通信ユニットから引き出したＬＡＮケーブルを前記接続口に接続した状態が遠隔ＬＡＮ接続である。また、前記接続口に可搬形ＨＩのＬＡＮケーブルを接続した形態が直接接続状態である。
【０００６】
以上のような構成にすると、一目で接続状態がわかる。この接続状態を電気的な仕組み（例えば表示ＬＥＤ等）で表示する方法もあるが、表示回路の故障等で接続状態が判らなくなることがあるため、電気的な仕組みを介さずに判別できるようにしている。
【０００７】
また、従来のディジタル形保護継電器正面でのＬＡＮケーブルの物理的な切替え構造では、保護継電器からＬＡＮケーブルを正面に引き出し、片端をコネクタ接続している。
【０００８】
【発明が解決しようとする課題】
このような切替え構造では、以下のような問題がある。すなわち、保護継電器の正面にＬＡＮケーブルを配置するため、ＬＡＮケーブル用スペースが必要になる。ケーブル操作時に引き出しケーブル部分が摩耗で擦れるが、ケーブル不良時に容易に交換できない。また保護継電器内にケーブルが上下動し、他の電子部品に当たる。これを当たらないようにするには、特別な構造が必要になりコスト高である。
【０００９】
さらに、保護継電器から引き出した１本のＬＡＮケーブルに対する切替えにより、遠隔／直接のＬＡＮ接続を行うため、直接接続している間は遠隔から操作することはできない。現場操作者が本来、保守、設定等をすべき保護継電器ではなく運用中の保護継電器に対して過って直接接続し保守、設定を行うと、リレーを誤動作させてしまう危険がある。よって、直接接続に対し、遠隔からロックをかけることができる機能が必要である。ロックをかけるためには、司令部からの直接接続許可司令と直接接続を保護継電器が認識する必要がある。
【００１０】
そこで、本発明は、正面へのＬＡＮケーブル引出しから生じる弊害が無く、操作性およびケーブル不良時のメンテナンス性が良く、遠隔接続と直接接続を判別することのできるディジタル形保護継電器を提供することを目的とする。
【００１１】
【課題を解決するための手段】
上記目的を達成するために請求項１の発明は、電力系統などの電気量を入力して前記電力系統等の事故を判別するための設定及び整定を、汎用のＬＡＮに接続された遠隔操作手段にて遠隔操作するために、保護継電器ラック内に通信ユニットを収納し、この通信ユニットに接続される第１の接続ケーブルを前記保護継電器ラックの正面に取付けられた保護継電器パネルまで引き出し、当該第１の接続ケーブルの端子を前記保護継電器パネルに取付けられた中継ケーブルを介して第２の接続ケーブル経由で前記汎用のＬＡＮに接続された遠隔操作手段に接続するようにしたディジタル形保護継電器において、前記保護継電器パネルにケーブル収納部を設け、当該ケーブル収納部内に前記中継ケーブルを挿抜方向に高い自由度を有する形態にして収納するとともに、その中継ケーブルの両端子のうち、少なくとも一方の端子を前記第１の接続ケーブルに対して挿抜可能に接続し、前記中継ケーブルの端子を抜き去ったあとの前記第１の接続ケーブルの端子に対して可搬式操作手段の通信ケーブルを接続可能にしたことを特徴とする。
【００１２】
この発明によれば、ケーブル可動部をディジタル形保護継電器内に配置する必要がなくなり、従来の中継ケーブルの引き出し構造で生じるケーブル摩耗を防止することができる。
【００１６】
請求項２の発明は、請求項１の発明において、中継ケーブルの片端を常時固定とし、この片端を操作者には見えない位置に配置した構成とする。この発明によれば、可搬形操作手段を直接接続する場合に、操作者が接続してはいけない中継ケーブルの片端（常時固定側）を抜き去り、そこに可搬形操作手段を接続するという誤操作を防止することができる。
【００１７】
請求項３の発明は、請求項２の発明において、中継ケーブルの常時固定とする片端のコネクタを、挿抜ロック手段を備えたコネクタとし、この挿抜ロック手段は、操作者が指で触れることができず、治具を使うことによって箱体の正面から容易に操作することができる構造とした構成とする。
【００１８】
この発明によれば、常時固定側コネクタが操作者の見える位置にあっても、人の手先でロック部を解除できない。よって、治具を使うなど故意に行う意志がない限り、不注意に常時固定側コネクタを取り外すということを防止することができる。
【００１９】
請求項４の発明は、請求項１の発明において、中継ケーブルは脱落防止機能を備えた螺旋状形態としたものである。この発明によれば、中継ケーブルはその螺旋状形態により、ばね性、及び挿抜方向の高い自由度を有し、非常に狭いスペースでも中継ケーブルを配置することができる。
【００２０】
請求項５の発明は、請求項１の発明において、汎用のＬＡＮが接続されておらず、且つ、前記汎用のＬＡＮを介さないで操作手段が接続されているか否かを判別する判別手段を備えた構成とする。
【００２１】
この発明によれば、判別手段による判別結果に基づき、可搬形操作手段の直接接続に対し、遠隔からロックを行う可搬形操作手段の接続ロック機能に利用することができる。
【００２２】
請求項６の発明は、請求項５の発明において、判別手段で判別した結果が「接続状態」であり、且つ、「接続許可有り」の場合に限り汎用のＬＡＮを介さないで前記操作手段から直接に操作される構成とする。本発明によれば、本来操作してはいけないディジタル形保護継電器を誤操作する危険を回避することができる。
【００２３】
【発明の実施の形態】
本発明の第１の実施の形態を図１ないし図７を参照して説明する。
すなわち図１に示すように、本実施の形態のディジタル形保護継電器は、電力系統等の電気量を入力し、この電気量から電力系統等の事故を判別し、この判別した結果に基づき遮断指令などを出力し、また、外部機器情報を入力する各種のユニットを収納する保護継電器ラック１と、この保護継電器ラック１の正面に取付けられ、保護用として、且つ、スイッチ、集約表示ＬＥＤ、試験用端子などのインターフェースを有する保護継電器パネル２と、この保護継電器パネル２に取付けられた中継ケーブル３を備えた構成である。
【００２４】
中継ケーブル３はＵ字形またはコ字形の形状をなし、その両端のコネクタ４，５によって、保護継電器パネル２に設けられたケーブル収納部６において保護継電器パネル２に接続されている。中継ケーブル３は、汎用の敷設ＬＡＮと保護継電器ラック１に収納している通信ユニットの接続をケーブル中継する。
【００２５】
中継ケーブル３と保護継電器パネル２との接続部の詳細は図２のようになっている。すなわち、保護継電器は、パネル２の正面のケーブル収納部６に曲げられた形状の中継ケーブル３を収納し、保護継電器パネル２に取付けられた接続具12，15と中継ケーブル３の両端のコネクタ４，５を接続する。
【００２６】
接続具12には、保護継電器ラック１内に収納された各種のユニットに接続されたＬＡＮケーブル41が接続され、接続具15には、保護継電器の外のハブに接続されたＬＡＮケーブル51が接続されている。
【００２７】
以上のような構成とした本発明の第１の実施の形態のディジタル形保護継電器の外部との接続や更に細かい構成を図３〜図７を参照して説明する。
本実施の形態のディジタル形保護継電器は、電力系統の電気量を入力して電力系統の事故を判別するための設定及び整定を汎用のＬＡＮに接続された操作手段にて遠隔操作することが可能で、また、その操作手段を汎用のＬＡＮを介さないで直接に接続できる構成のディジタル形保護継電器である。ここで、操作手段とは、情報・制御機器、ヒューマンインターフェースユニット、あるいは計算機等である。
【００２８】
本実施の形態のディジタル形保護継電器のＬＡＮ接続構成の一例を図３に示す。すなわち、保護継電器ラック１に収納した通信ユニット11と接続したＬＡＮケーブル41をパネル２に接続し、このＬＡＮケーブル41と中継ケーブル３の片端を接続し、中継ケーブル３を保護継電器パネル２前面から操作可能な場所に配置し、中継ケーブル３のもう一方の端をＬＡＮケーブル51と接続し、このＬＡＮケーブル51を保護継電器ラック１に通し、外部のハブ16と接続し、この外部のハブ16が汎用の敷設ＬＡＮ７を介して遠隔操作する遠隔操作手段８と接続する構成である。
このような構成によれば、汎用の敷設ＬＡＮ７を介してディジタル形保護継電器を遠隔操作することができる。
【００２９】
図４は、図３の遠隔操作を切り離し、デジタル形保護継電器に可搬形操作手段10を直接接続して操作する構成である。可搬形操作手段10は可搬形の情報・制御機器、ヒューマンインターフェースユニット、計算機等である。図４に示すように、通信ユニット11と接続したケーブル41側と保護継電器パネル２で接続している側の中継ケーブル３の片端を抜き去り、その接続口に可搬形操作手段10の通信ケーブル９を装着する。
この構成によれば、汎用のＬＡＮを切り離し、可搬形操作手段10を現場にて直接接続し、整定、諸設定、異常確認を行うができる。
【００３０】
ここで、中継ケーブル３を曲げ形態とする。中継ケーブル３は、この曲げ方向と平行な左右（又は左右周り）の動きはケーブルに負担をかけない。また、操作者が無理な力を加えなくても、曲げ方向と平行な左右（又は左右周り）に操作することができる。
【００３１】
図５に示すように中継ケーブル３が直線形態の場合では、中継ケーブル３を抜き去るには、保護継電器パネル２内に中継ケーブル３をＹ２方向に押し込むことができる構成とする必要がある。押し込むことができない場合は、抜き去り時に中継ケーブル３に無理なストレスがかかるとともに、抜き去り操作に大きな力が必要になる。これを避けるために、直線形態では、保護継電器パネル２内から中継ケーブル３を引き出し、且つ、保護継電器パネル２内部で中継ケーブル３が移動できるスペース確保をしている。
【００３２】
前記図１では、中継ケーブル３を保護継電器パネル２の正面右端に配置しているが、中継ケーブル３の配置はこれに限定されるものではない。図６に示すように例えば、パネル２を部分21から部分29のように９分割したとすると、どの分割部に配置してもよい。
【００３３】
また前記図１では、中継ケーブル３を左Ｕ字の形態としているが、中継ケーブル３の曲げ形態はこれに限定されるものではない。曲げ形態の例として、Ｕ字形態、半Ｕ字形態を考えると、図７に示すように、例えば、Ｆ１〜Ｆ８の形態がある。
【００３４】
さらに、図１では保護継電器パネル２の正面凹部のケーブル収納部６に中継ケーブル３を収納しているが、保護継電器パネル２の正面部に直接、中継ケーブル３を取り付けてもよい。
【００３５】
また、図２では、中継ケーブル３の両端をコネクタとしているが、常時固定の片方は固定部なのでコネクタ接続による挿抜がなくても良い。この場合、中継ケーブル３の常時固定側を保護継電器パネル２に締め付け固定する等してよい。
【００３６】
以上のような構成の本発明の第１の実施の形態のディジタル形保護継電器においては、中継ケーブル３を曲げ形態とするため、中継ケーブル３の両端で保護継電器パネル２の正面と接続できる。よって、直線形態と比較して保護継電器パネル２内部にケーブル可動部用のスペース及び構造が不要になる。
【００３７】
また、保護継電器パネル正面凹部に曲げ形態の中継ケーブル３を収納する構成では、保護継電器パネル２の正面方向に中継ケーブル３を配置するスペースを節約できる。さらに、中継ケーブル３を保護継電器パネル２の前面側で両端コネクタ接続とするため、中継ケーブル３の不良時に、保護継電器パネル２を開く必要がなく、且つ、保護継電器パネル２を分解することもなく中継ケーブル３を交換することができ、保守作業性が向上する。
【００３８】
以上のように本発明の第１の実施の形態のディジタル形保護継電器においてはケーブル可動部をディジタル形保護継電器内に配置する必要がなくなるり、従来の中継ケーブルの引き出し構造で生じるケーブル摩耗を防止することができる。
【００３９】
また、ディジタル形保護継電器の正面に中継ケーブルを配置するスペースが不要になるとともに、中継ケーブルの端がディジタル形保護継電器と挿抜可能であるため、中継ケーブルの不良時には、容易に中継ケーブルを交換することができる。
【００４０】
次に本発明の第２の実施の形態を図８を参照して説明する。すなわち、保護継電器パネル２の正面右端にケーブル収納部６の切欠き部Ｋを設けた構造である。このようにすると、中継ケーブル３が正面右端に位置し、中継ケーブル３が左Ｕ字形態（図７のＦ１）である場合、可搬形操作手段10を直接接続するために中継ケーブル３の片端４を操作者が容易に抜き去ることができる。操作者の大半は右利きであるので、この構成であると作業が行いやすい。
【００４１】
また、保護継電器パネル２の端のケーブル収納部６に切欠き部Ｋを備えているため、中継ケーブル３を右方向に操作者の手で抜き去るスペースが保護継電器パネル２の右空間に十分にある。そのため、ケーブル収納部６の幅を小さくすることができる。これにより、保護継電器パネル２上でのケーブル切替に要する占有エリアを節約することができる。
【００４２】
なお、ケーブル収納部６およびその切欠き部Ｋは保護継電器パネル２の右端ばかりでなく、左、上、下の端であってもよい。
以上のように本発明の第２の実施の形態のディジタル形保護継電器においては、ＬＡＮ切替え時に行う中継ケーブルの切替え操作（操作者の手で中継ケーブルの片端部を挿抜操作する動作）のスペースをディジタル形保護継電器の端部に確保することができる。そのため、中継ケーブルを収納する凹部のスペースを小さくすることができる。
【００４３】
次に本発明の第３の実施の形態は、図９あるいは図10に示すように、中継ケーブル３の片端を常時固定とし、この片端を操作者には見えない位置に配置した構造とするものである。
【００４４】
図９は、可搬形操作手段10から直接にケーブル接続する保護継電器パネル２側の接続口が中継ケーブル３の片端のコネクタ４にあり、常時挿抜のない片端のコネクタ５は保護継電器パネル２の通し穴61からその内部に入り接続具15と接続する構成である。
【００４５】
図10は、中継ケーブル３の常時挿抜のない片端側が見えないようにボックス状構造13で遮蔽した構造である。ボックス状構造13は、ボックス状のものだけでなく、遮蔽可能なものであればいろいろな遮蔽構造を採用してよい。
【００４６】
以上の構成により、可搬形操作手段10を直接接続する場合に、操作者が接続してはいけない中継ケーブル３の片端５（常時固定側）を抜き去りそこにＨＩを接続するという誤操作を防止することができる。
【００４７】
以上のように本発明の第３の実施の形態のディジタル形保護継電器においては、整定、諸設定、監視等の操作手段を直接接続する場合に、操作者が接続してはいけない中継ケーブルの片端（常時固定側）を抜き去り、そこに整定、諸設定、監視等の操作手段を接続する誤操作を防止することができる。
【００４８】
次に本発明の第４の実施の形態を図11を参照して説明する。すなわち、中継ケーブル３とケーブル収納部６において、常時固定とする片端のコネクタを、挿抜ロック手段Ｐを備えたコネクタとし、挿抜ロック手段Ｐを操作者が指で触れることができず、且つ、治具を使うと保護継電器パネル２の前面から容易に挿抜ロック手段Ｐを操作することができる構造とする。
【００４９】
図11は、挿抜ロック手段Ｐを備えたコネクタとしてモジュラジャックを用いた例である。同図において、ケーブル収納部６の凹面Ｓとコネクタ４あるいは５の間隔Ｍを操作者の指が入らない間隔とする。但し、ロックピン（挿抜ロック手段Ｐ）が凹面Ｓを押さえてロックが解除となるまで間隔Ｍを狭めてはいけない。
【００５０】
なお、図11は１つの実施例であり、ロックと解除が可能な手段を有するすべてのコネクタが対象である。また、凹面Ｓと挿抜ロック手段Ｐとの配置の関係は図11に限定するものではない。
【００５１】
以上のような構成により、常時固定側コネクタが操作者の見える位置にあっても、人の手でロック部を解除できない。よって、治具を使い故意に行う意志がない限り、不注意に常時固定側コネクタを取り外すということを防止することができる。
【００５２】
次に本発明の第５の実施の形態を図12に示す。
この実施の形態では、中継ケーブル３を脱落防止機能を備えた螺旋状形態とする。この一例として図12に両端コネクタのカールケーブル14を示す。カールケーブル14では、カール部をさらにＵ字等に曲げる必要はなく、カール部自体が曲げ形態であり、このカール部のばね性、及び挿抜方向の高い自由度を利用して、非常に狭いスペースでも中継ケーブルとして取扱うことができる。
【００５３】
以上のように本発明の第５の実施の形態のディジタル形保護継電器においては、螺旋状形態の中継ケーブルにより、ばね性、及び挿抜方向の高い自由度を有し、狭いスペースでも、中継ケーブルを操作することができる。
【００５４】
次に本発明の第６の実施の形態を図13に示す。
本実施の形態では、汎用のＬＡＮに非接続であり、且つ、可搬形操作手段10が直接、ディジタル形保護継電器に接続されているか否かを判別する判別手段をディジタル形保護継電器に内蔵する。
【００５５】
すなわち、ディジタル形保護継電器内の通信ユニット11のＬＡＮケーブル41内に、可搬形操作手段10の通信ケーブル９におけるコネクタ91で折り返す監視信号線411を設ける。コネクタ91には折返し配線92がなされており、接続監視信号を生成するために電圧レベルＶの電気信号をコネクタ９１で折り返す。
【００５６】
通信ユニット11内には、監視信号レベルを検出するレベル検出手段112と、このレベル検出手段112の出力を入力し、可搬形操作手段10との通信を禁止あるいは許可する通信制御手段111を設ける。
【００５７】
このような構成において、可搬形操作手段10の接続時は監視信号が折り返されるため、レベル検出手段112はＶレベル信号を受ける。非接続時は監視信号が折り返さないので、レベル検出手段112はＶレベル信号を受けない。さらに、中継ケーブル３のコネクタ４に折り返し構造92を装備した形態とすれば、中継ケーブル３で中継する場合も監視信号が折り返される。
【００５８】
これらの場合、監視信号線411は抵抗ＲでグランドＧＮＤにプルダウンされているため、レベル検出手段112は０Ｖレベルの信号を受ける。このようにして、入力信号のレベルでレベル検出手段112は接続状態を判別する。この判別した結果は通信制御手段111に入力される。
【００５９】
通信制御手段111では、汎用のＬＡＮに接続している遠隔運用時に、電気所の司令部から「現場での可搬形操作手段10との接続（すなわち通信のこと）」に対し、禁止または許可の司令を受ける。常時は禁止であるが、現場操作者が試験や保守を行う場合に限り、事前に遠隔操作で許可司令を受け、その場合に限り、可搬形操作手段10との直接通信を行う。
【００６０】
つまり、通信制御手段111は「司令部からの接続許可信号有り」且つ「可搬形操作手段10が接続状態」に限り、可搬形操作手段10との直接通信を行う。これ以外はロックする。
【００６１】
以上の構成と作用により、可搬形操作手段10のディジタル形保護継電器への直接接続を自動判別することができる。また、自動判別した結果と事前に遠隔で受けた「司令部からの接続許可信号有り」とのＡＮＤ条件で可搬形操作手段10との接続をロックしあるいは解除するため、本来操作してはいけないディジタル形保護継電器を誤操作する危険が回避される。
【００６２】
なお、可搬形操作手段の接続監視方法は上記のようなハード信号の物理的な折り返しによるものだけでなく、特定（あらかじめ取り決めたもの）の自己識別可能な信号を通信ユニット11と可搬形操作手段10でソフト的に判別処理する方法でもよい。また、可搬形操作手段10のＴＣＰ／ＩＰ通信時に使うＩＰアドレスまたは物理アドレスを利用して可搬形操作手段10の接続を識別する方法でもよい。
【００６３】
【発明の効果】
以上のように本発明によれば、箱体正面へのＬＡＮケーブル引出しから生じる弊害が無く、操作性およびケーブル不良時のメンテナンス性が良く、遠隔接続と直接接続を判別することのできるディジタル形保護継電器を提供することができる。
【図面の簡単な説明】
【図１】本発明の第１の実施の形態のディジタル形保護継電器の斜視図。
【図２】上記ディジタル形保護継電器の要部を拡大して示す図。
【図３】上記ディジタル形保護継電器の遠隔操作の構成を示す図。
【図４】上記ディジタル形保護継電器への可搬形操作手段の直接接続の構成を示す図。
【図５】直線形態の中継ケーブルを示す図。
【図６】上記ディジタル形保護継電器のパネル上の位置を示す図。
【図７】中継ケーブルの曲げ形態を示す図。
【図８】本発明の第２の実施の形態のディジタル形保護継電器の要部を示す図。
【図９】本発明の第３の実施の形態のディジタル形保護継電器の要部を示す図。
【図１０】上記第３の実施の形態のディジタル形保護継電器の他の構成例を示す図。
【図１１】本発明の第４の実施の形態のディジタル形保護継電器の要部の構成を示す図。
【図１２】本発明の第５の実施の形態のディジタル形保護継電器の要部の構成を示す図。
【図１３】本発明の第６の実施の形態のディジタル形保護継電器の要部の構成を示す図。
【符号の説明】
１…保護継電器ラック、２…形保護継電器パネル、３…中継ケーブル、４…コネクタ、５…コネクタ、６…ケーブル収納部、７…敷設ＬＡＮ、８…遠隔操作手段、９…通信ケーブル、10…可搬形操作手段、11…通信ユニット、12…接続具、13…ボックス状構造、14…カールケーブル、15…接続具、16…ハブ、21〜29…パネル２の分割エリア、41…ＬＡＮケーブル、51…ＬＡＮケーブル、61…通し穴、91…コネクタ、92…折返し配線、111…通信制御手段、112…レベル検出手段、411…監視信号線、ＧＮＤ…グランド、Ｆ１〜Ｆ８…中継ケーブル３の曲げ形態、Ｋ…収納部６の切欠き部、Ｍ…モジュラジャックと凹面Ｓ間の間隔、Ｐ…挿抜ロック手段、Ｒ…抵抗、Ｓ…収納部６の凹面、Ｖ…監視信号電圧、Ｙ２…移動方向。
【図１】
0003949349.tif 000002
【図２】
0003949349.tif 000003
【図３】
0003949349.tif 000004
【図４】
0003949349.tif 000005
【図５】
0003949349.tif 000006
【図６】
0003949349.tif 000007
【図７】
0003949349.tif 000008
【図８】
0003949349.tif 000009
【図９】
0003949349.tif 000010
【図１０】
0003949349.tif 000011
【図１１】
0003949349.tif 000012
【図１２】
0003949349.tif 000013
【図１３】
0003949349.tif 000014